(57)【要約】【課題】滅菌剤が収容される収容部を複数有するカートリッジの当該収容部のうち、滅菌処理に用いることが出来ない滅菌剤を収容している開封されていない各収容部を開封して当該収容部内の滅菌剤を排出する仕組みを提供すること。【解決手段】カートリッジから読み取られた情報に従って、当該カートリッジの収容部に収容されている滅菌剤を用いた滅菌処理を行えるかを判定し、当該収容部に収容されている滅菌剤を用いた滅菌処理を行えないと判定された場合に、開封されていない当該カートリッジの各収容部を開封し、当該開封された収容部に収容されている滅菌剤を排出することを特徴とする。【選択図】図４
2019115845.tif 000002
【特許請求の範囲】
【請求項１】
滅菌剤が収容される収容部を複数有するカートリッジの当該収容部に収容されている滅菌剤を用いて滅菌対象物を滅菌する滅菌処理を行う滅菌装置であって、
前記カートリッジの収容部を開封する開封手段と、
前記カートリッジに付されている情報であって、前記カートリッジの収容部に収容されている滅菌剤を用いた滅菌処理を行えるかを判定するための情報を読み取る読取手段と、
前記読取手段により読み取られた情報に従って、前記カートリッジの収容部に収容されている滅菌剤を用いた滅菌処理を行えるかを判定する判定手段と、
前記判定手段により、前記カートリッジの収容部に収容されている滅菌剤を用いた滅菌処理を行えないと判定された場合に、前記開封手段により開封されていない当該カートリッジの各収容部を前記開封手段により開封し、当該開封された収容部に収容されている滅菌剤を排出する排出手段と、
を備えることを特徴とする滅菌装置。
【請求項２】
前記カートリッジが収容される収容室と、
前記収容室を減圧する減圧手段と、
を更に備え、
前記排出手段は、前記判定手段により、前記カートリッジの収容部に収容されている滅菌剤を用いた滅菌処理を行えないと判定された場合に、前記開封手段により開封されていない当該カートリッジの各収容部を前記開封手段により開封した後に、前記収容室を減圧することで、当該開封された収容部に収容されている滅菌剤を排出することを特徴とする請求項１に記載の滅菌装置。
【請求項３】
前記開封手段により開封された収容部に収容されている滅菌剤を吸い出す吸出し手段を更に備え、
前記排出手段は、前記判定手段により、前記カートリッジの収容部に収容されている滅菌剤を用いた滅菌処理を行えないと判定された場合に、前記開封手段により開封されていない当該カートリッジの収容部を前記開封手段により開封し、当該開封された収容部に収容されている滅菌剤を吸い出すプロセスを前記開封手段により開封されていない各収容部に対して行うことで、当該開封された各収容部に収容されている滅菌剤を排出することを特徴とする請求項１に記載の滅菌装置。
【発明の詳細な説明】
【技術分野】
【０００１】
本発明は、滅菌装置に関し、特に、カートリッジから得られる滅菌剤を用いて滅菌処理を行う滅菌装置に関する。
【背景技術】
【０００２】
注射器や手術道具などの医療器具は、使用後に滅菌しなければ病原菌が付着していることがあり、人体に悪影響を及ぼすおそれがあるため再使用することができない。そのため、医療器具等の滅菌が必要な対象物を滅菌処理する滅菌装置がある。
【０００３】
滅菌剤は取扱いが危険な溶剤もあるため、ユーザの安全性を考慮して滅菌剤容器から自動供給された滅菌剤で被滅菌物を滅菌する滅菌装置がある。
【０００４】
例えば特許文献１には過酸化水素容器内の過酸化水素溶液を排液針で排液する技術が開示されている。
【０００５】
特許文献２には蒸気滅菌後のプラスチック容器の外表面を乾燥させるために滅菌室に乾燥エアを供給する技術が開示されている。
【先行技術文献】
【特許文献】
【０００６】
【特許文献１】特開２０１３−１７２９８６号公報
【特許文献２】特開平８−１９６６０５号公報
【発明の概要】
【発明が解決しようとする課題】
【０００７】
また、例えば、滅菌剤が１０個の容器（カプセル）に小分けされたカプセル型の滅菌剤カートリッジの一部の未使用のカプセルに残っている当該カートリッジを、使用期限切れなどの理由で自動的に廃棄する機能が知られている。
【０００８】
しかしながら、一部の未使用のカプセルを有するカートリッジを自動的に廃棄する場合には、そのカートリッジを特別管理廃棄物として廃棄する必要がある。しかしながら、従来、一部の未使用のカプセルを有するカートリッジであっても、全てのカプセルが使用済みのカートリッジと同一の場所に搬送（廃棄）されしまうため、どのカートリッジを特別管理廃棄物として廃棄する必要があるのかを確認する必要があり、その作業が煩雑であった。また、カートリッジを特別管理廃棄物として廃棄する場合には、その廃棄費用が、全てのカプセルが使用済みのカートリッジを廃棄する廃棄費用よりも高く、その廃棄に多くのコストがかかっていた。
【０００９】
そこで、本発明は、滅菌剤が収容される収容部を複数有するカートリッジの当該収容部のうち、滅菌処理に用いることが出来ない滅菌剤を収容している開封されていない各収容部を開封して当該収容部内の滅菌剤を排出する仕組みを提供することである。
【課題を解決するための手段】
【００１０】
上記の目的を達成するため、本発明による滅菌装置は、滅菌剤が収容される収容部を複数有するカートリッジの当該収容部に収容されている滅菌剤を用いて滅菌対象物を滅菌する滅菌処理を行う滅菌装置であって、前記カートリッジの収容部を開封する開封手段と、前記カートリッジに付されている情報であって、前記カートリッジの収容部に収容されている滅菌剤を用いた滅菌処理を行えるかを判定するための情報を読み取る読取手段と、前記読取手段により読み取られた情報に従って、前記カートリッジの収容部に収容されている滅菌剤を用いた滅菌処理を行えるかを判定する判定手段と、前記判定手段により、前記カートリッジの収容部に収容されている滅菌剤を用いた滅菌処理を行えないと判定された場合に、前記開封手段により開封されていない当該カートリッジの各収容部を前記開封手段により開封し、当該開封された収容部に収容されている滅菌剤を排出する排出手段と、を備えることを特徴とする。
【発明の効果】
【００１１】
本発明によれば、滅菌剤が収容される収容部を複数有するカートリッジの当該収容部のうち、滅菌処理に用いることが出来ない滅菌剤を収容している開封されていない各収容部を開封して当該収容部内の滅菌剤を排出する仕組みを提供することができる。
【図面の簡単な説明】
【００１２】
【図１】本発明に係る滅菌装置のハードウエアの構成の一例を示す図である。
【図２】本発明に係るカートリッジ収容室のハードウエアの構成の一例を示す図である。
【図３】本発明に係る滅菌装置による全工程の一例を示す図である。
【図４】排出処理の詳細処理の一例を示す図である。
【図５】滅菌処理の詳細処理の一例を示す図である。
【図６】滅菌前工程の詳細処理の一例を示す図である。
【図７】滅菌工程の詳細処理の一例を示す図である。
【図８】換気工程の詳細処理の一例を示す図である。
【図９】本発明に係る滅菌装置および滅菌剤供給装置のハードウエアの構成の一例を示す図である。
【図１０】本発明に係るカートリッジ収容室のハードウエアの構成の変形例を示す図である。
【図１１】排出処理の詳細処理の一例を示す図である。
【発明を実施するための形態】
【００１３】
以下、図面を用いて、本発明に係る滅菌装置における実施の形態について説明する。
図１を説明する。
【００１４】
図１を用いて、本発明に係る滅菌装置のハードウエアの構成の一例について説明する。
【００１５】
１００は、本発明に係る滅菌装置であり、１０１は、カートリッジ取付用扉であり、１０２は、表示部であり、１０３は、印刷部１０３であり、１０４は、滅菌室の扉である。
【００１６】
カートリッジ取付用扉１０１は、滅菌剤（過酸化水素、又は過酸化水素溶液の液体）が充填された容器であるカートリッジを取り付けるための扉である。
【００１７】
カートリッジ取付用扉１０１を開くと、カートリッジの取り付け場所があり、ユーザは、そこにカートリッジを取り付けることができるようになる。
表示部１０２は、液晶ディスプレイなどのタッチパネルの表示画面である。
【００１８】
印刷部１０３は、滅菌処理の履歴や滅菌結果を印刷用紙に印刷するプリンタであり、適宜、滅菌処理の履歴や滅菌結果を印刷用紙に印刷する。
【００１９】
滅菌室の扉１０４は、例えば医療用器具などの被滅菌対象物（被滅菌物）を滅菌するために、該被滅菌物を滅菌室に入れるための扉である。滅菌室の扉１０４を開くと、滅菌室があり、そこに該被滅菌物を入れて、滅菌室の扉１０４を閉じることで、滅菌室内に被滅菌対象物を入れることができる。
【００２０】
滅菌室は、所定の容量の筐体である。滅菌室内の気圧（圧力）は大気圧から真空圧までの圧力を維持することが可能である。
【００２１】
また、滅菌室内の温度は、滅菌処理中において、所定の範囲の温度に維持されている。
【００２２】
本発明に係る滅菌装置１００は、演算処理部（ＭＰＵ等）２０１と、表示部１０２と、印刷部１０３と、ロック動作制御部２０２と、抽出針動作制御部２０３と、カートリッジ取付用扉１０１と、液センサ２０４と、カートリッジ２０５と、ＲＦ−ＩＤリーダ／ライタと、液送ロータリーポンプ２０７と、濃縮炉２０８と、気送加圧ポンプ２０９と、ＨＥＰＡフィルタ２１０と、弁（Ｖ１）２１１と、弁（Ｖ３）２１２と、弁（Ｖ４）２１３と、計量管２１４と、弁（Ｖ２）２１５と、気化炉２１６と、弁（Ｖ５）２１７と、弁（Ｖ９）２２７と、弁（Ｖ７）２２６と、滅菌室（真空チャンバーとも言う）２１９と、真空ポンプ２２０と、排気用ＨＥＰＡフィルタ２２１と、滅菌剤分解装置２２２と、液送ロータリーポンプ２２３と、排気蒸発炉２２４とから構成されている。
【００２３】
滅菌装置１００は、滅菌剤が入っているカートリッジ２０５の中から、滅菌剤を取り出して対象物を滅菌する装置である。すなわち、滅菌装置１００は、滅菌剤が収容される収容部を複数有するカートリッジの当該収容部に収容されている滅菌剤を用いて滅菌対象物を滅菌する滅菌処理を行う滅菌装置である。
【００２４】
演算処理部（ＭＰＵ等）２０１は、演算処理を行い、滅菌装置１００を構成する各ハードウエアを制御する。
【００２５】
液センサ２０４は、カートリッジ２０５内の液体の滅菌剤が、抽出針（注射針）から液送ロータリーポンプ２０７、液送ロータリーポンプ２２３に導通（連結）している管（導管）を通っているかを検出する装置である。
【００２６】
具体的には、該管に赤外線を照射して得られるスペクトルから滅菌剤が該管を通っているかを検出することができる。
【００２７】
ＲＦ−ＩＤリーダ／ライタ２０６は、カートリッジ２０５の下側に備え付けられているＲＦ−ＩＤから、シリアル番号、製造年月、初回使用日時、滅菌剤の残量および充填の方式を読み取ることができる装置である。ＲＦ−ＩＤリーダ／ライタ２０６は、本発明の読取手段の適用例であり、カートリッジに付されている情報であって、カートリッジの収容部に収容されている滅菌剤を用いた滅菌処理を行えるかを判定するための情報を読み取る。
【００２８】
また、ＲＦ−ＩＤリーダ／ライタ２０６から、カートリッジ２０５の下側に備え付けられているＲＦ−ＩＤに、初回使用日時、滅菌剤の残量および充填の方式を書き込むことができる装置である。
【００２９】
また、ＲＦ−ＩＤリーダ／ライタ２０６は、カートリッジ取付用扉１０１の裏にあるカートリッジの取り付け場所の下部に設置されており、カートリッジ２０５の下側に備え付けられているＲＦ−ＩＤを読み取ること、及び初回使用日時、滅菌剤の残量および充填の方式等のデータをＲＦ−ＩＤに書き込むことが可能である。
【００３０】
液送ロータリーポンプ２０７は、濃縮炉２０８と導管により導通して（繋がって）おり、また、液センサ２０４と導管により導通している。
【００３１】
液送ロータリーポンプ２０７は、カートリッジ２０５内の液体の滅菌剤をポンプにより吸引して、導管を通して滅菌剤を濃縮炉２０８に送る装置である。
【００３２】
また、液送ロータリーポンプ２０７は、液センサ２０４と連携して、カートリッジ２０５から、滅菌剤の所定量を吸引することができる。
【００３３】
濃縮炉２０８は、液送ロータリーポンプ２０７と、気送加圧ポンプ２０９と、計量管２１４と、排気用ＨＥＰＡフィルタ２２１と、それぞれ導管により導通している。
【００３４】
濃縮炉２０８は、液送ロータリーポンプ２０７から導管を通じて送り込まれた滅菌剤を、ヒータを用いて加熱し、滅菌剤に含まれる水分などを蒸発（気化）させ滅菌剤を濃縮する。
【００３５】
また、気化した水は、気送加圧ポンプ２０９から導管を通して送り込まれる空気により、排気用ＨＥＰＡフィルタ２２１に導通している導管に押し出され、濃縮炉２０８内から排気される。また、計量管２１４と濃縮炉２０８との間の導管の間には弁（１）２１１が設けられている。
【００３６】
気送加圧ポンプ２０９は、それぞれ、濃縮炉２０８と、ＨＥＰＡフィルタ２１０と、導管により導通している。気送加圧ポンプ２０９は、滅菌装置１００の外気（空気）を、ＨＥＰＡフィルタ２１０を介して、ＨＥＰＡフィルタ２１０との導管により導通して濃縮炉２０８に送る装置である。
【００３７】
ＨＥＰＡフィルタ２１０は、それぞれ、気送加圧ポンプ２０９と、滅菌室２１９と、気化炉２１６と、導管により導通している。ＨＥＰＡフィルタ２１０は、滅菌装置１００の外の外気（空気）中のちりやほこり、雑菌などを、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタでフィルタリングして空気を清浄する。
【００３８】
そして、その清浄された空気は、気送加圧ポンプ２０９により導管を通して濃縮炉２０８に送られる。また、清浄された空気は、気化炉２１６との導管により導通して気化炉２１６に送り込まれたり、滅菌室２１９との導管により導通して滅菌室２１９に送り込まれる。
【００３９】
すなわち、ＨＥＰＡフィルタ２１０は、滅菌装置１００の外の外気（空気）と導通している。そのため、気送加圧ポンプ２０９とＨＥＰＡフィルタ２１０との間の導管と、滅菌室２１９とＨＥＰＡフィルタ２１０との間の導管と、気化炉２１６とＨＥＰＡフィルタ２１０との間の導管は、ＨＥＰＡフィルタ２１０を介して、外気（空気）と導通している。
【００４０】
また、ＨＥＰＡフィルタ２１０と気化炉２１６との間の導管には、弁（Ｖ９）２２７が設けられている。また、ＨＥＰＡフィルタ２１０と滅菌室２１９との間の導管には、弁（Ｖ７）２２６が設けられている。
【００４１】
弁（Ｖ１）２１１は、濃縮炉２０８と計量管２１４との間の導管に設けられた弁であって、弁を開けることで濃縮炉２０８と計量管２１４との間の導管による導通を可能にし、弁を閉めることで濃縮炉２０８と計量管２１４との間の導管による導通を不可能にする弁である。
【００４２】
弁（Ｖ３）２１２は、計量管２１４と滅菌室２１９との間の導管に設けられた弁であって、弁を開けることで計量管２１４と滅菌室２１９との間の導管による導通を可能にし、弁を閉めることで計量管２１４と滅菌室２１９との間の導管による導通を不可能にする弁である。
【００４３】
また、この弁は、計量管２１４の近くに設けられており、少なくとも後述する弁（Ｖ４）よりも計量管２１４側の位置に設けられている。
【００４４】
弁（Ｖ４）２１３は、計量管２１４と滅菌室２１９との間の導管に設けられた弁であって、弁を開けることで計量管２１４と滅菌室２１９との間の導管による導通を可能にし、弁を閉めることで計量管２１４と滅菌室２１９との間の導管による導通を不可能にする弁である。
【００４５】
また、この弁は、滅菌室２１９の近くに設けられており、少なくとも後述する弁（Ｖ３）よりも滅菌室２１９側の位置に設けられている。
【００４６】
本実施例では、弁（Ｖ４）２１２、弁（Ｖ３）２１３の開け閉めにより、計量管と滅菌室との間の導管の導通を可能にするか、不可能にするかを行っているが、弁（Ｖ４）２１３、弁（Ｖ３）２１３のどちらか一方の弁の開け閉めにより、計量管と滅菌室との間の導管の導通を可能にするか、不可能にするかを行うようにしてもよい。
【００４７】
すなわち、弁（Ｖ４）２１３、弁（Ｖ３）２１３のどちらか一方の弁のみを設け、そのどちらか一方の弁の開け閉めを行うことにより、計量管と滅菌室との間の導管の導通を可能にするか、不可能にするかを行うようにすることもできる。
【００４８】
計量管２１４は、濃縮炉２０８と、気化炉２１６と、滅菌室２１９のそれぞれとの間の導管により導通している。
【００４９】
計量管２１４は、弁（Ｖ１）２１１を開くことにより、濃縮炉２０８から滅菌剤が流入し、弁（Ｖ３）２１２、及び弁（Ｖ４）２１３を開くことにより、カートリッジ２０５内から吸入した不要な空気、及び／又は、ＨＥＰＡフィルタ２１０から濃縮炉２０８内に流入して濃縮炉２０８内から計量管２１４内に流入した不要な空気を、計量管２１４により取り除く装置である。
【００５０】
弁（Ｖ２）２１５は、計量管２１４と、気化炉２１６との間の導管に設けられた弁であって、弁を開けることで計量管２１４と気化炉２１６との間の導管による導通を可能にし、弁を閉めることで計量管２１４と気化炉２１６との間の導管による導通を不可能にする弁である。
【００５１】
気化炉２１６は、計量管２１４と、ＨＥＰＡフィルタ２１０と、滅菌室２１９とのそれぞれとの間の導管により導通している。気化炉２１６は、本発明の気化室の適用例である。
【００５２】
気化炉２１６は、真空ポンプ２２０により減圧されることで、滅菌剤を気化させる装置である。
【００５３】
弁（Ｖ５）２１７は、気化炉２１６と、滅菌室２１９との間の導管に設けられた弁であって、弁を開けることで気化炉２１６と滅菌室２１９との間の導管による導通を可能にし、弁を閉めることで気化炉２１６と滅菌室２１９との間の導管による導通を不可能にする弁である。
【００５４】
弁（Ｖ９）２２７は、気化炉２１６とＨＥＰＡフィルタ２１０との間の導管に設けられた弁であって、弁を開けることで気化炉２１６とＨＥＰＡフィルタ２１０との間の導管による導通を可能にし、弁を閉めることで気化炉２１６とＨＥＰＡフィルタ２１０との間の導管による導通を不可能にする弁である。すなわち、弁（Ｖ９）２２７は、気化炉２１６と外気（大気）との導通を開閉できる弁である。
【００５５】
弁（Ｖ７）２２６は、滅菌室２１９とＨＥＰＡフィルタ２１０との間の導管に設けられた弁であって、弁を開けることで滅菌室２１９とＨＥＰＡフィルタ２１０との間の導管による導通を可能にし、弁を閉めることで滅菌室２１９とＨＥＰＡフィルタ２１０との間の導管による導通を不可能にする弁である。すなわち、弁（Ｖ７）２２６は、滅菌室２１９と外気（大気）との導通を開閉できる弁である。
【００５６】
滅菌室（真空チャンバーとも言う）２１９は、例えば医療用器具などの被滅菌対象物を滅菌する所定の容量の筐体である。
滅菌室内の圧力は大気圧から真空圧までの圧力を維持することが可能である。
【００５７】
また、滅菌室内の温度は、滅菌処理中において、所定の範囲の温度に維持されている。
【００５８】
また、滅菌室２１９内には、圧力センサが備えられており、圧力センサにより滅菌室２１９内の圧力（気圧）を測定することができる。
【００５９】
滅菌装置１００は、この圧力センサにより測定された滅菌室２１９内の気圧を用いて、滅菌室２１９内等の圧力（気圧）が所定の気圧になっているかを判定する。
【００６０】
真空ポンプ２２０は、滅菌室２１９内、気化炉２１６内、計量管２１４内、計量管２１４と気化炉２１６との間の導管内、気化炉２１６と滅菌室２１９との間の導管内、計量管２１４と滅菌室２１９との間の導管内の空間の気体を吸引して、それぞれの空間内を減圧し真空状態（大気圧より低い圧力の気体で満たされた空間内の状態）にする装置である。
【００６１】
また、真空ポンプ２２０は、２２８に示す収容室を減圧する減圧手段の適用例である。
【００６２】
真空ポンプ２２０は、滅菌室２１９との間で導管により導通されており、排気用ＨＥＰＡフィルタ２２１との間で導管により導通されている。
【００６３】
排気用ＨＥＰＡフィルタ２２１は、真空ポンプ２２０との間で導管により導通されている。また、排気用ＨＥＰＡフィルタ２２１は、排気蒸発炉２２４との間で導管により導通されている。
【００６４】
また、排気用ＨＥＰＡフィルタ２２１は、滅菌剤分解装置２２２との間で導管により導通されている。また、排気用ＨＥＰＡフィルタ２２１は、濃縮炉２０８との間で導管により導通されている。
【００６５】
排気用ＨＥＰＡフィルタ２２１は、真空ポンプ２２０により、滅菌室２１９内等から吸引された気体を、真空ポンプ２２０との間の導管から送られてきた気体内のちりやほこり、雑菌などを、ＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタでフィルタリングして、吸引された気体を清浄する。
【００６６】
そして、清浄された気体は、滅菌剤分解装置２２２と排気用ＨＥＰＡフィルタ２２１との間の導管を通り、滅菌剤分解装置２２２に送られ、滅菌剤分解装置２２２により該気体に含まれる滅菌剤の分子を分解し、分解後の分子を滅菌装置１００の外に放出する。
【００６７】
また、排気用ＨＥＰＡフィルタ２２１は、濃縮炉２０８と排気用ＨＥＰＡフィルタ２２１との間の導管により濃縮炉２０８から排気される気体を清浄する。
【００６８】
この気体は、濃縮炉２０８で、滅菌剤が加熱されて、気化された水であるが、微量の滅菌剤を含むため、滅菌剤分解装置２２２と排気用ＨＥＰＡフィルタ２２１との間の導管を通り、滅菌剤分解装置２２２に送られる。
【００６９】
そして、滅菌剤分解装置２２２により該気体に含まれる滅菌剤の分子を分解し、分解後の分子を滅菌装置１００の外に放出する。
【００７０】
また、排気用ＨＥＰＡフィルタ２２１は、排気蒸発炉２２４から、排気蒸発炉２２４と排気用ＨＥＰＡフィルタ２２１との間の導管を通り送られてくる気化された滅菌剤を清浄する。
【００７１】
そして、その清浄された滅菌剤（気体）は、滅菌剤分解装置２２２と排気用ＨＥＰＡフィルタ２２１との間の導管を通り、滅菌剤分解装置２２２に送られ、滅菌剤分解装置２２２により該気体に含まれる滅菌剤の分子を分解し、分解後の分子を滅菌装置１００の外に放出する。
【００７２】
排気用ＨＥＰＡフィルタ２２１は、導管を通り送られてくる気体を清浄することで、滅菌剤分解装置２２２にほこりやごみが溜まりにくくし、滅菌剤分解装置２２２の製品寿命を延ばすことができる。
【００７３】
滅菌剤分解装置２２２は、排気用ＨＥＰＡフィルタ２２１との間の導管により導通されている。滅菌剤分解装置２２２は、滅菌剤分解装置２２２と排気用ＨＥＰＡフィルタ２２１との間の導管から送られてくる気体に含まれる滅菌剤の分子を分解して、分解して生成される分子を滅菌装置１００の外に放出する。
【００７４】
滅菌剤分解装置２２２は、滅菌剤を分解する装置であって、例えば、滅菌剤が過酸化水素、又は過酸化水素溶液である場合、気化された過酸化水素を、二酸化マンガンを触媒として用いて、水と酸素に分解することができる装置である。
【００７５】
液送ロータリーポンプ２２３は、排気蒸発炉２２４と導管により導通しており、また、液センサ２０４と導管により導通している。
【００７６】
液送ロータリーポンプ２２３は、カートリッジ２０５内の全ての液体の滅菌剤をポンプにより吸引して、液センサ２０４と液送ロータリーポンプ２２３との間の導管を通して送られるその全ての滅菌剤を、液送ロータリーポンプ２２３と排気蒸発炉２２４との間の導管を通して、排気蒸発炉２２４に送る装置である。
【００７７】
排気蒸発炉２２４は、液送ロータリーポンプ２２３と導管により導通しており、また、排気用ＨＥＰＡフィルタ２２１と導管により導通している。
【００７８】
排気蒸発炉２２４は、液送ロータリーポンプ２２３と排気蒸発炉２２４との間の導管を通して送られる、カートリッジ２０５内の全ての液体の滅菌剤を、排気蒸発炉２２４に備え付けられたヒータにより加熱し、その滅菌剤の全てを気化させる。
【００７９】
そして、気化された滅菌剤は、排気用ＨＥＰＡフィルタ２２１と排気蒸発炉２２４との間の導管を通して、排気用ＨＥＰＡフィルタ２２１に送られる。
【００８０】
また、カートリッジ２０５内に残っている有効期限の切れた滅菌剤は、導管３を通じて真空ポンプ２２０により真空抜き取りを行うことができる。
【００８１】
弁（Ｖ１０）２２９は、カートリッジの収容室２２８（カートリッジが収容される収容室）内を真空ポンプ２２０で減圧する際（真空乾燥モードに設定時）には閉じることにより、カートリッジの収容室２２８を密閉筐体にすることができる。
図２を説明する。
【００８２】
図２を用いて、本発明に係るカートリッジ収容室のハードウエアの構成の一例について説明する。
図２は、本発明に係るカートリッジの収容室２２８の断面図の一例である。
【００８３】
カートリッジ収容室は、カートリッジ２０５内の滅菌剤を、本体に供給するための取り出しユニットであり、３０１はカートリッジの収容室２２８内を乾燥する際（換気乾燥モードに設定時）に、空気を送るためのファンであり、抽出針が通る管内に気体を送る。
【００８４】
３０２はカートリッジ２０５、あるいはカートリッジの収容室２２８内を乾燥させる際に加温することができるヒータ（加温手段）で、赤外線ヒータやプラズマを利用することができる。ヒータ部３０２によって滅菌剤容器の外面に接して滅菌剤容器を加温することができ、乾燥中のみ加温することで、残留する滅菌剤の気化を促進することが可能になる。
【００８５】
したがって乾燥中以外は滅菌剤容器の外面を加温しないようにＯＮ／ＯＦＦの制御することができる。
【００８６】
３０３はカートリッジホルダであり、カートリッジ２０５が置かれる位置や移動する経路を有する。
【００８７】
３０４は開閉式ゲートバルブ（開口部封鎖手段）で、カートリッジの収容室２２８内をファン３０１により換気する際（換気乾燥モードに設定時）は開け、カートリッジの収容室２２８内を真空ポンプ２２０により減圧する際（真空乾燥モードに設定時）は閉じて、カートリッジの収容室２２８を密閉筐体にすることができる。
【００８８】
開閉弁３０４を開閉させることで、Ｓ４０１のように退避位置になるように抽出管を上昇移動して配置され、かつ、真空ポンプ２２０によって収容室の乾燥や有効期限の切れた滅菌剤を真空抜き取りを行う場合、滅菌剤を抽出するために抽出管が開口している部分を封鎖するように制御している。このように抽出管が開口している部分を封鎖することでカートリッジの収容室２２８をＳ４１１乃至Ｓ４１５の処理中の間だけ密閉筐体にすることができる。
抽出管は、カートリッジの収容部を開封する開封手段の適用例である。
【００８９】
３０５は圧力計（検出手段）で、カートリッジの収容室２２８内の圧力を監視し、収容室２２８内部の真空到達度を検出する。
【００９０】
カートリッジの収容室２２８内を真空ポンプ２２０により真空乾燥する際（真空乾燥モードに設定時）、あるいは真空ポンプ２２０により有効期限の切れた滅菌剤を真空抜き取りする際、所定の圧力（例えば５０Ｐａ）に到達することで、カートリッジの収容室２２８内が完全に乾燥したと判断する。また、インターロック（ロック部）を解除する条件圧（大気圧）を監視したり、弁（Ｖ１０）２２９の故障により、カートリッジ収容室内が陽圧になっていないかを監視する。
【００９１】
３０６は、真空ポンプ２２０との間の導管３に繋がる排気用ゲートバルブで、カートリッジの収容室２２８内をファン３０１により換気する時（換気乾燥モードに設定時）は閉じ、カートリッジの収容室２２８内を真空ポンプ２２０により減圧する時（真空乾燥モードに設定時）にはバルブ３０６を開けて、カートリッジの収容室２２８を密閉筐体とする。
【００９２】
Ｓ４１１以降のステップで乾燥（真空乾燥モード設定時）、あるいは有効期限の切れた滅菌剤を真空抜き取りする場合には、真空ポンプ２２０から収容室２２８に分岐させた導管３を用いて残留する滅菌剤を乾燥する。
【００９３】
この分岐された導管３によって、滅菌処理において使用する真空ポンプ２２０を有効利用することができる。
【００９４】
３０７は、排気用ＨＥＰＡフィルタ２２１に繋がる導管１および導管２に設置している弁（Ｖ１０）に接続する換気ポートで、カートリッジの収容室２２８内を乾燥する際に送風される気体はこの換気ポートを通じて排気用ＨＥＰＡフィルタ２２１に送られる。  
【００９５】
３０８は、ＨＥＰＡフィルタ２１０との間の導管４に繋がる吸気用ゲートバルブで、カートリッジの収容室２２８内をファン３０１により換気する時（換気乾燥モードに設定時）およびカートリッジの収容室２２８内を真空ポンプ２２０により減圧する時（真空乾燥モードに設定時）は閉じ、乾燥後にカートリッジの収容室２２８内を大気にする際にバルブ３０８を開ける。
【００９６】
ロック動作制御部（開閉制御手段）２０２は、カートリッジ取付用扉１０１の施錠、開錠の動作を行う部であり、カートリッジ取付用扉１０１を施錠することにより、カートリッジ取付用扉１０１を開かないようにし、また、カートリッジ取付用扉１０１を開錠することにより、カートリッジ取付用扉１０１を開けることができるようにする。
【００９７】
ロック動作制御部（開閉制御手段）２０２は内部空間に滅菌剤容器を収容する扉の開閉を制御する。またロック部によって施錠させずに、図示しないモータによってカートリッジ取付用扉１０１の開閉位置をモータがそれぞれ自動制御してもよい。
【００９８】
カートリッジ２０５は、滅菌剤（過酸化水素、又は過酸化水素溶液の液体）が充填され、密閉された容器である。
【００９９】
カートリッジ２０５の充填方式は、全ての滅菌剤が１つの滅菌剤収容室に入っているものと、滅菌工程における滅菌剤の使用量に応じた、複数の滅菌剤収容室を持つカートリッジとがある。図２に示しているカートリッジ２０５は、滅菌剤が収容される収容部（滅菌剤収容室）を複数有するカートリッジである。
【０１００】
また、カートリッジ２０５の下側にはＲＦ−ＩＤの記憶媒体を備えており、その記憶媒体には、該カートリッジを識別する情報としてのシリアル番号と、該カートリッジの製造年月日、該カートリッジが初めて滅菌装置で使用された日時（初回使用日時）、該カートリッジ内に充填されている滅菌剤の残量および充填の方式が記憶されている。
【０１０１】
このＲＦ−ＩＤは、カートリッジ２０５の中の滅菌剤の廃棄に係るデータ（シリアル番号、製造年月、初回使用日時、滅菌剤の残量および充填の方式の全て、またはいずれかのデータ）を記憶した記憶媒体である。
【０１０２】
カートリッジ２０５は、１つの外装容器に滅菌処理を複数回行える量の滅菌剤が入ったカートリッジである。
【０１０３】
カートリッジ２０５内の滅菌剤収容室は、１つの場合と滅菌工程における滅菌剤の使用量に応じた複数の滅菌剤収容室を持つカートリッジがある。
【０１０４】
カートリッジ２０５には、滅菌剤として用いられる過酸化水素などの薬液が格納される。
【０１０５】
滅菌装置１００が、抽出針（注射針）をカートリッジに向けて、該カートリッジの上部から降ろすように動作することで、蓋の穴、キャップの穴に抽出針（注射針）が挿入される。
【０１０６】
このとき、滅菌装置１００は、注射針が蓋の穴、キャップの穴を貫通し、容器の下部に注射針の先端が来るように動作する。
【０１０７】
ステップＳ１０３では、注射針をカートリッジに挿入することで、カートリッジ内の滅菌剤を抽出することが可能となると共に、カートリッジを取り出すことが出来ないようにすることができる。
【０１０８】
抽出針動作制御部２０３は、カートリッジ内の滅菌剤を吸引するための抽出針（注射針）をカートリッジの上部から刺すために、当該抽出針を動作する部である。
【０１０９】
すなわち、カートリッジ内の滅菌剤を吸引するための抽出針（注射針）をカートリッジの上部から刺す場合は、抽出針（注射針）をカートリッジに向けて、該カートリッジの上部から降ろすように動作することで、抽出針（注射針）をカートリッジの上部から刺すことができる。
【０１１０】
また、抽出針（注射針）をカートリッジから抜く場合は、該カートリッジの上部に抽出針（注射針）を上げるように動作することで、抽出針（注射針）をカートリッジから抜くことができる。
【０１１１】
抽出針は、カートリッジ内の滅菌剤を吸引するため、あるいは有効期限の切れた未使用の滅菌剤を廃棄するために、滅菌剤収容室に穴を開けるストロー（細い筒）である。
【０１１２】
カートリッジ２０５は、滅菌剤収容室が１つの場合、カートリッジホルダ３０３により所定の位置に固定され、滅菌工程における滅菌剤の使用量に応じた複数の滅菌剤収容室を持つ場合は、カートリッジホルダ３０３により所定の位置に移動、固定される。
図３を説明する。
図３を用いて、本発明に係る滅菌装置による全工程の一例について説明する。
【０１１３】
図３に示す各工程（処理）は、滅菌装置１００の演算処理部２０１により滅菌装置内の各装置の動作を制御することにより行われる。
【０１１４】
すなわち、滅菌装置１００の演算処理部２０１が読み取り実行可能なプログラムを実行することにより、各装置の動作を制御して、図に示す各工程（処理）を実行する。
【０１１５】
滅菌装置１００は、電源が入れられると、まず、ＲＦ−ＩＤリーダ／ライタ２０６（読取部／書込部）が、カートリッジ２０５の下側に設けられたＲＦ−ＩＤ（記憶媒体）から、データを読み取る（ステップＳ１０１）。
ＲＦ−ＩＤリーダ／ライタ２０６は、本発明の読取手段の適用例である。
【０１１６】
ステップＳ１０１で、ＲＦ−ＩＤ（記憶媒体）から読み取られるデータとしては、該カートリッジを識別する情報としてのシリアル番号と、該カートリッジの製造年月日と、該カートリッジが滅菌装置で初めて使用された日時（初回使用日時）と、該カートリッジ内に充填されている滅菌剤の残量および充填の方式とがある。
【０１１７】
すなわち、カートリッジ２０５に設けられたＲＦ−ＩＤ（記憶媒体）には、予め、シリアル番号、製造年月日、初回使用日時（初回使用日時情報）、滅菌剤の残量および充填の方式が記憶されている。
【０１１８】
なお、滅菌装置で初めて使用されるカートリッジのＲＦ−ＩＤには、初回使用日時（カートリッジが滅菌装置で初めて使用された日時）が記憶されていない。そのため、初めて使用されるカートリッジのＲＦ−ＩＤには、シリアル番号、製造年月日、滅菌剤の残量および充填の方式が記憶されているが、２回目以降に使用されるカートリッジのＲＦ−ＩＤには、シリアル番号、製造年月日、初回使用日時、滅菌剤の残量および充填の方式が記憶されている。
【０１１９】
したがって、ステップＳ１０１では、初めて使用されるカートリッジのＲＦ−ＩＤからは、シリアル番号、製造年月日、滅菌剤の残量および充填の方式が読み取られる。また、２回目以降に使用されるカートリッジのＲＦ−ＩＤからは、シリアル番号、製造年月日、初回使用日時、滅菌剤の残量および充填の方式が読み取られる。
【０１２０】
そのため、ステップＳ１０２では、初めて使用されるカートリッジのＲＦ−ＩＤから初回使用日時が読み取れなかったとしても、シリアル番号、製造年月日、滅菌剤の残量および充填の方式が読み取ることが出来れば、ＲＦ−ＩＤからデータが読み取れたと判定する。
【０１２１】
次に、滅菌装置１００は、ステップＳ１０１でＲＦ−ＩＤからデータが読み取れたと判定された場合は（ステップＳ１０２：ＹＥＳ）、滅菌装置１００内のカートリッジの取り付け場所にカートリッジが設置されていると判断し、カートリッジ取付用扉１０１を施錠（ロック）する（ステップＳ１０３）。
【０１２２】
すなわち、カートリッジを取り出すことが出来ないようにロック（施錠）する。このように、読取手段によりデータを読み取れた場合には、カートリッジ２０５を取り出すことが出来ないようにロックする。
【０１２３】
また、たとえば、カートリッジに挿入される注射針を抜かないようにすることで、カートリッジを取り出すことが出来ないようにすることもできる。
【０１２４】
すなわち、ステップＳ１０３で注射針をカートリッジに挿入することで、カートリッジ内の滅菌剤を抽出することが可能となると共に、カートリッジを取り出すことが出来ないようにすることができる。
【０１２５】
このように、滅菌装置１００内のカートリッジの取り付け場所にカートリッジが取り付けられた場合、カートリッジを取り出すことが出来ないようにロック（施錠）する。
【０１２６】
滅菌装置１００内のカートリッジの取り付け場所に、滅菌剤の余りが入っているカートリッジが取り付けられている場合、カートリッジを取り出すことが出来ないようにロック（施錠）しているため、ユーザに滅菌剤を触れさせないようにすることが出来るようになる。
【０１２７】
以上のように、滅菌装置１００が、カートリッジが滅菌装置に取り付けられている場合に、カートリッジを取り出すことが出来ないようにロックする。
【０１２８】
そして、滅菌装置１００は、カートリッジ内に滅菌１回分の滅菌剤の所定の量（例えば、８ミリリットル）があるか否かを判定する。
【０１２９】
具体的には、ＲＦ−ＩＤから取得した滅菌剤の残量が、滅菌１回分の所定の量よりも多いか否かを判定する。
【０１３０】
すなわち、滅菌剤の残量が、滅菌１回分の所定の量よりも多いと判定された場合は、カートリッジ内に滅菌１回分の滅菌剤の所定の量がある（十分な滅菌処理を実行できる）と判断し（ステップＳ１０４：ＹＥＳ）、ステップＳ１０５の処理を行う。一方、滅菌剤の残量が、滅菌１回分の所定の量（例えば、８ミリリットル）よりも少ないと判定され場合は、カートリッジ内に滅菌１回分の滅菌剤の所定の量がない（十分な滅菌処理を実行できない）と判断し（ステップＳ１０４：ＮＯ）、ステップＳ１１２の処理を行う。
【０１３１】
滅菌装置１００は、ステップＳ１０５において、ＲＦ−ＩＤから取得したカートリッジの製造年月日から、所定の期間（例えば、１３か月）を経過しているかを判断する。
【０１３２】
そして、製造年月日から所定の期間を経過していると判定された場合は（ステップＳ１０５：ＮＯ）、十分な滅菌処理を実行できないと判定し、ステップＳ１１２の処理を行う。一方、製造年月日から所定の期間を経過していないと判定された場合は（ステップＳ１０５：ＹＥＳ）、十分な滅菌処理を実行できると判定し、ステップＳ１０６の処理を行う。
【０１３３】
滅菌装置１００は、ステップＳ１０６において、ＲＦ−ＩＤから取得した初回使用日時から、所定の期間（例えば、２週間）を経過しているかを判断する（ステップＳ１０６）。
【０１３４】
そのため、例えば、ステップＳ１０１では、初めて使用されるカートリッジのＲＦ−ＩＤからは、初回使用日時が読み取られないため、ステップＳ１０６において、ＲＦ−ＩＤから取得した初回使用日時から、所定の期間（例えば、２週間）を経過していないと判定する（ステップＳ１０６：ＹＥＳ）。
【０１３５】
そして、ＲＦ−ＩＤから取得した初回使用日時から、所定の期間（例えば、２週間）を経過していると判定された場合は（ステップＳ１０６：ＮＯ）、十分な滅菌処理を実行できないと判定し、ステップＳ１１２の処理を行う。
【０１３６】
一方、所定の期間（例えば、２週間）を経過していないと判定された場合は（ステップＳ１０６：ＹＥＳ）、十分な滅菌処理を実行できると判定し、ステップＳ１０７の処理を行う。
【０１３７】
ステップＳ１０５、Ｓ１０６は、本発明の判定手段の適用例であり、読取手段により読み取られた情報に従って、カートリッジの収容部に収容されている滅菌剤を用いた滅菌処理を行えるかを判定する。
【０１３８】
滅菌装置１００は、ステップＳ１０７において、滅菌開始画面を表示部１０２に表示する。
【０１３９】
滅菌装置１００は、「滅菌剤を濃縮して滅菌するモード」ボタンと、「滅菌剤を濃縮しないで滅菌するモード」ボタンのどちらか一方の選択をユーザから受け付け（ステップＳ１１０）、ユーザにより選択されたボタンのモードに従った滅菌処理（ステップＳ１１１）を行う。滅菌処理（ステップＳ１１１）の詳細は、図５を用いて、後で説明する。
【０１４０】
このように、ユーザの指示により、滅菌処理するモードを１台の滅菌装置で切り替えて使用することが可能となる。
【０１４１】
すなわち、「滅菌剤を濃縮して滅菌するモード」ボタンがユーザにより押下された場合は、滅菌剤を濃縮して、滅菌処理を行い、「滅菌剤を濃縮しないで滅菌するモード」ボタンが押下された場合は、滅菌剤を濃縮しないで、滅菌処理を行う。
そして、滅菌装置１００は、滅菌処理（ステップＳ１１１）が終了する。
【０１４２】
滅菌装置１００は、滅菌処理（ステップＳ１１１）を行った後、カートリッジの使用可能回数が上限に達していないかを確認する（ステップＳ１１９）。
【０１４３】
カートリッジの使用可能回数が上限に達した場合（ステップＳ１１９：ＹＥＳ）は排出処理（ステップＳ１１４）を行う。
【０１４４】
また、滅菌装置１００は、ステップＳ１１２において、滅菌開始画面を表示部１０２に表示する。ただし、ステップＳ１１２で表示される滅菌開始画面内の「滅菌開始ボタン」は、ユーザにより押下出来ないように表示されている（「滅菌開始ボタン」がアクティブではない）。そのため、ユーザによる、滅菌処理の開始指示を受け付けないようにすること可能となる。
【０１４５】
そして、滅菌装置１００は、ステップＳ１０１でＲＦ−ＩＤから取得したシリアル番号から、カートリッジの取り付け場所に設置してあるカートリッジが、既に滅菌剤の排出処理済みのカートリッジであるか否かを判定する（ステップＳ１１３）。
【０１４６】
具体的には、滅菌装置１００内のメモリ（記憶部）には、既に滅菌剤の排出処理済みのカートリッジを識別するシリアル番号が記憶されており、ステップＳ１０１でＲＦ−ＩＤから取得したシリアル番号が、該メモリ（記憶部）に記憶されているシリアル番号に一致するか否かを判定することにより、現在、滅菌装置１００に取り付けられているカートリッジが、既に滅菌剤の排出処理済みのカートリッジであるか否かを判定する。
【０１４７】
また、滅菌剤の排出処理済みのカートリッジであるか否かを判定する他の例についても、ここで説明する。
【０１４８】
滅菌装置１００は、ステップＳ１１４の排出処理を行うと、カートリッジ２０５のＲＦ−ＩＤに、既に滅菌剤の排出処理済みのカートリッジである旨を示す情報を記録する。
【０１４９】
また、滅菌装置１００は、ステップＳ１１３では、既に滅菌剤の排出処理済みのカートリッジである旨を示す情報を読み取ることがステップＳ１０１で出来たか否かを判定し、当該情報を読み取ることが出来たと判定された場合は（Ｓ１１３：ＹＥＳ）、ステップＳ１１５に移行し、当該情報を読み取ることが出来なかったと判定された場合は（Ｓ１１３：ＮＯ）ステップＳ１１４に処理を移行する。
【０１５０】
このようにして、現在、滅菌装置１００に取り付けられているカートリッジが、既に滅菌剤の排出処理済みのカートリッジであるか否かを判定することも可能である。
【０１５１】
現在、滅菌装置１００に取り付けられているカートリッジが、既に滅菌剤の排出処理済みのカートリッジであると判定された場合は（ステップＳ１１３：ＹＥＳ）、ステップＳ１１５の処理を行う。一方、既に滅菌剤の排出処理済みのカートリッジではないと判定された場合は（ステップＳ１１３：ＮＯ）、カートリッジ内に残っている液体の滅菌剤の残量の全てを吸い取り、その全ての滅菌剤を分解処理して、滅菌装置１００の外に放出する、滅菌剤の排出処理（ステップＳ１１４）を行い、その後、ステップＳ１１５の処理を行う。ステップＳ１１４の滅菌剤の排出処理の詳細は、図４、図１１を用いて、後で説明する。
【０１５２】
ステップＳ１１４は、カートリッジの中の過酸化水素水溶液を排出処理の適用例である。なお過酸化水素溶液を、触媒を利用して分解することにより、カートリッジの中に残留している過酸化水素溶液を廃棄する。
【０１５３】
ステップＳ１０１で読み取られたデータが、ステップＳ１０４、ステップＳ１０５、ステップＳ１０６で、所定の条件を満たすと判定された場合は、排出処理により、カートリッジ２０５の中に残留している滅菌剤を廃棄する。
【０１５４】
すなわち、ここで、所定の条件とは、１回の滅菌処理で用いられる滅菌剤の量がカートリッジ内に残っているかの条件、カートリッジの製造日から所定時間経過しているかの条件、カートリッジの初回使用日から所定時間経過しているかの条件を含む条件である。
【０１５５】
ステップＳ１１４の処理を行うと、滅菌装置１００内のメモリ（記憶部）に、既に滅菌剤の排出処理済みのカートリッジを識別するシリアル番号として、ステップＳ１０１で読み取ったシリアル番号を記憶する。
【０１５６】
滅菌装置１００は、ステップ１１５において、カートリッジ取付用扉１０１を開錠する。
ステップＳ１１５は、ロックを解除する適用例である。
【０１５７】
例えば、カートリッジに挿入されている注射針をカートリッジから抜くことで、ロックを解除することもできる。
【０１５８】
このように、ロックを解除する前に、カートリッジ２０５内の全ての滅菌剤を吸い出して廃棄する処理（Ｓ１１４）を行うためユーザに滅菌剤を触れさせないようにすることができ、安全性が向上する。
【０１５９】
また、滅菌装置１００は、ステップＳ１０２において、ステップＳ１０１でＲＦ−ＩＤからデータが読み取れなかったと判定された場合は（ステップＳ１０２：ＮＯ）、滅菌装置１００内のカートリッジの取り付け場所にカートリッジが設置されていないと判断し、カートリッジ取付要求画面を表示する（ステップＳ１１６）。
カートリッジ取付要求画面には、「ＯＫ」ボタンが表示されている。
【０１６０】
そして、滅菌装置１００は、カートリッジ取付要求画面の「ＯＫ」ボタンがユーザにより押下されたかを判定し（ステップＳ１１７）、「ＯＫ」ボタンが押下された場合は（ＹＥＳ）、カートリッジ取付用扉１０１を開錠し（ステップＳ１１８）、処理をステップＳ１０１に戻す。一方、「ＯＫ」ボタンが押下されていない場合は（ＮＯ）、カートリッジ取付要求画面を表示し続ける。
【０１６１】
カートリッジ取付用扉１０１の開錠、及び施錠は、ロック動作制御部２０２による動作により行われる。
図４を説明する。
【０１６２】
次に、図４を用いて、図３のＳ１１４に示す排出処理の詳細処理の一例について説明する。
【０１６３】
各工程（処理）は、滅菌装置１００の演算処理部２０１により滅菌装置内の各装置の動作を制御することにより行われる。
【０１６４】
すなわち、滅菌装置１００の演算処理部２０１が読み取り実行可能なプログラムを実行することにより、各装置の動作を制御して各工程（処理）を実行する。
【０１６５】
まず、Ｓ１０１で読み取られた充填の方式に従って、滅菌に使用されるカートリッジ２０５の滅菌剤収容室が１つのタイプか、あるいは滅菌剤収容室が複数あるタイプかを判断する（ステップＳ４２３）。
【０１６６】
以下、滅菌に使用されるカートリッジ２０５の滅菌剤収容室が１つのタイプの場合（Ｓ４２３：ＹＥＳ）を説明する。
【０１６７】
２種類の異なる乾燥モードによって、滅菌剤カートリッジをセットするカートリッジ収容室内と滅菌剤カートリッジ内部と抽出針の先端の３か所を乾燥する。
【０１６８】
換気モードとは、カートリッジ収容室内を送風し換気することで、使用済滅菌カートリッジの内部に付着した微量の滅菌剤や、滅菌剤が付着している可能性があるカートリッジ収容室の内部を乾燥する乾燥モードである。
【０１６９】
真空乾燥モードとは、カートリッジ収容室を密閉構造とし、真空乾燥することにより、使用済みの滅菌カートリッジの内外、カートリッジ収容室内部全体を完全に乾燥する乾燥モードである。滅菌剤の乾燥状態は、カートリッジ収容室内の真空到達圧で判断する。乾燥していないと到達できない真空圧（例えば５０Ｐａ）に到達することで乾燥したと判断する。換気モードと比べて真空乾燥モードの方が工程時間は長いが、より確実に乾燥することができ、安全性が高い。
【０１７０】
抽出針をカートリッジ２０５の底まで差し込み（Ｓ４０１）、カートリッジ２０５内部に残った滅菌剤を規定時間吸い取る。滅菌剤を吸い出した後、抽出針は待機位置まで移動する（Ｓ４０５）。
【０１７１】
このように、Ｓ４０１により、抽出針（開封手段）により、開封されていないカートリッジの各収容部を開封し、Ｓ４０２で開封された収容部に収容されている滅菌剤を吸い取り排出する（排出手段）。
【０１７２】
換気モードの場合、排気用ゲートバルブ（バルブ３０６）を閉じ、弁（Ｖ１０）２２９を開ける。
【０１７３】
ファン３０１により、カートリッジの収容室２２８内に、所定の時間空気を送り続ける。送られた気体は、換気ポート３０７を通り、弁（Ｖ１０）２２９を経由して排気用ＨＥＰＡフィルタ２２１に送られ、滅菌剤分解装置２２２により該気体に含まれる滅菌剤の分子を分解し、分解後の分子を滅菌装置１００の外に放出する。
【０１７４】
真空乾燥モードの場合、滅菌剤を吸い出した後、開閉弁３０４、および弁（Ｖ１０）２２９を閉じ、密閉筐体にする。真空ポンプ２２０により、カートリッジの収容室２２８内を減圧する。カートリッジの収容室２２８内の圧力は圧力計３０５により監視する。カートリッジの収容室２２８内の圧力が、カートリッジの収容室２２８内に液体が無いと判断できる圧力（例えば５０Ｐａ）まで減圧されたことを検知し、真空ポンプ２２０を停止する。開閉弁３０４と、弁（Ｖ１０）２２９を開け、カートリッジの収容室２２８内を大気圧に戻し、インターロックを解除できる状態にする。
【０１７５】
圧力計３０５はカートリッジの収容室２２８内の圧力が陽圧になってないかを常に監視し、陽圧を検知した場合、排気経路のいずれかに不具合が発生したと判断し、エラーを発令する。
【０１７６】
赤外線ヒータやプラズマでカートリッジ収容室内部や滅菌剤カートリッジを加温することで乾燥効率を上げることができる。
ここから詳細な各工程を説明する。
【０１７７】
ステップＳ４０１では、滅菌装置の演算処理部（２０１）（制御部）の指示により、滅菌剤容器から滅菌剤を抽出するために、滅菌剤の収容部の内部にある滅菌剤を抽出可能な抽出位置になるように抽出管の停止位置を重力方向に下降移動して配置する。
【０１７８】
なお、ここでは、図１０に示すように、滅菌剤容器から滅菌剤を抽出するために、滅菌剤の収容部の内部にある滅菌剤を抽出可能な抽出位置になるように滅菌剤の収容部の停止位置を重力方向に上昇移動して配置してもよい。
【０１７９】
また、ここでは安全面を考慮して新品の時点では密閉されている滅菌剤容器の所定箇所にあるシール材等を、抽出管の先端が突き破って滅菌剤容器を開口（貫通）することで、抽出管から滅菌剤容器の内部の滅菌剤が抽出可能な状態になっている。従ってこの時点でこれまでシール材で密閉されていた滅菌剤容器には内部が開口している箇所が形成されることになる。
【０１８０】
ステップＳ４０２では、滅菌装置の演算処理部（２０１）（制御部）の指示により、抽出管を密封された滅菌剤の収容部の内部に差し込んで、この滅菌剤容器から滅菌剤を抽出する（抽出手段）。
【０１８１】
まず、滅菌装置１００は、液送ロータリーポンプ２２３により、カートリッジ２０５内の全ての液体の滅菌剤をポンプにより吸引して、液センサ２０４と液送ロータリーポンプ２２３との間の導管を通して送られるその全ての滅菌剤を、液送ロータリーポンプ２２３と排気蒸発炉２２４との間の導管を通して、排気蒸発炉２２４内に送る（ステップＳ４０２）。
【０１８２】
そして、滅菌装置１００は、排気蒸発炉２２４により、液送ロータリーポンプ２２３と排気蒸発炉２２４との間の導管を通して送られる全ての液体の滅菌剤（排気蒸発炉２２４内に溜められた滅菌剤）を、排気蒸発炉２２４に備え付けられたヒータにより加熱し、その滅菌剤の全てを気化させる。そして、気化された滅菌剤は、排気用ＨＥＰＡフィルタ２２１と排気蒸発炉２２４との間の導管を通して、排気用ＨＥＰＡフィルタ２２１に送られる（ステップＳ４０３）。
【０１８３】
ここで、排気蒸発炉２２４に備え付けられたヒータは、例えば、滅菌剤（過酸化水素）の沸点（過酸化水素の沸点は１４１度）よりも高い温度に加熱されている。そのため、排気蒸発炉２２４により、滅菌剤は全て気化されることとなる。
【０１８４】
そして、滅菌装置１００は、排気用ＨＥＰＡフィルタ２２１により、排気蒸発炉２２４と排気用ＨＥＰＡフィルタ２２１との間の導管を通り送られてくる気化された滅菌剤を清浄し、清浄された気体（滅菌剤を含む）は、滅菌剤分解装置２２２と排気用ＨＥＰＡフィルタ２２１との間の導管を通り、滅菌剤分解装置２２２に送られる。
【０１８５】
そして、滅菌剤分解装置２２２は、滅菌剤分解装置２２２と排気用ＨＥＰＡフィルタ２２１との間の導管から送られてくる気体に含まれる滅菌剤の分子を分解して、分解して生成される分子を滅菌装置１００の外に放出する（ステップＳ４０４）。
【０１８６】
ステップＳ４０５では、滅菌装置の演算処理部（２０１）（制御部）の指示により、滅菌剤の収容部から滅菌剤を抽出しないので、滅菌剤容器を交換可能な退避位置になるように抽出管の停止位置を重力方向に上昇移動して配置する。
【０１８７】
なお、ここでは、図１０に示すように、滅菌剤容器を交換可能な退避位置になるように滅菌剤の収容部の停止位置を重力方向に下降移動して配置してもよい。
【０１８８】
また、抽出管の停止位置が重力方向に上昇移動して配置されると、Ｓ４０１で形成された滅菌剤容器の開口している箇所は抽出管によって封止されていない状態となり、滅菌剤容器は内部に残留する滅菌剤が残ったまま、容器は開口していることになる。
【０１８９】
ステップＳ４０６では、滅菌装置の演算処理部（２０１）（制御部）の指示により、Ｓ４０２で抽出する滅菌剤容器が収容されている収容室の内部空間を乾燥する（乾燥手段）する乾燥モードを選択する。換気モードが予め設定されていた場合にはＳ４０７に進む。
真空乾燥モードが予め設定されていた場合にはＳ４１１に進む。
【０１９０】
Ｓ４０７またはＳ４１１に進んだ場合、Ｓ４０２で滅菌剤を抽出したあとにＳ４０５で退避位置に配置させた状態で、抽出管が差し込まれた滅菌剤容器の抽出口（滅菌剤容器の開口している箇所）から滅菌剤容器に残留する滅菌剤を乾燥する。
【０１９１】
また乾燥開始は、滅菌剤容器の開口している箇所を抽出管によって封止されている状態から所定の時間だけ（例えば５秒前等）事前に開始する方が望ましく、滅菌剤容器の開口している箇所を抽出管によって封止されていない状態では必ず収容室２２８を乾燥処理（換気または真空）することで、残留する滅菌剤が自然蒸発して収容室２２８に拡散する危険性もさらに低下する。
【０１９２】
さらにＳ４０７またはＳ４１１に進んだ場合、ヒータ部３０２が滅菌剤容器の外面を加温（５０℃程度）しながら、残留する滅菌剤を乾燥することで乾燥時間を短くしている。
【０１９３】
ステップＳ４０７では、真空ポンプ２２０との間の導管３に繋がる排気用ゲートバルブ（バルブ３０６）を閉じ、換気モードでは使用しない真空ポンプ２２０を遮断する。
【０１９４】
ステップＳ４０８では、排気用ＨＥＰＡフィルタ２２１に繋がる導管１および導管２に設置している弁（Ｖ１０）を開け、カートリッジの収容室２２８内を乾燥する際に送風される気体を、この換気ポート導管２を通じて排気用ＨＥＰＡフィルタ２２１に送る。
【０１９５】
ステップＳ４０９では、収容室２２８内を乾燥させるため、ファン３０１で収容室２２８内に空気を送る。
【０１９６】
ステップＳ４１０では、収容室２２８内の乾燥が完了したと思われる所定時間（例えば、３分）空気を送り込んだ後、ファンを停止する。
【０１９７】
ステップＳ４１１では、収容室２２８内を真空乾燥させるため、収容室２２８と真空ポンプ２２０を繋ぐ排気用ゲートバルブ（バルブ３０６）を開ける。
【０１９８】
ステップＳ４１２では、収容室２２８を密閉筐体とし真空乾燥するため、開閉弁３０４と弁（Ｖ１０）を閉じる。
【０１９９】
バルブ３０８（開閉弁）は、真空乾燥後、収容室２２８内を大気に戻すまで閉じている。（Ｓ４１５）
【０２００】
ステップＳ４１３では、真空ポンプ２２０により、収容室２２８内を減圧する。このように２２８の収容室を減圧することで、開封された収容部に収容されている滅菌剤を排出することができる。
【０２０１】
ステップＳ４１４では、滅菌装置の演算処理部（２０１）（制御部）の指示により、圧力計３０５が検出した真空到達度に応じて、真空ポンプ２２０による収容室２２８の乾燥を終了するかいなかを判断する（終了判断手段）。収容室２２８の内部の圧力が５０Ｐａに到達したと判断された場合には、乾燥を終了させてＳ４１５に進む。
【０２０２】
ステップＳ４１５では、真空となった収容室２２８内を大気に戻すため、収容室２２８とＨＥＰＡフィルタ２１０を繋ぐバルブ３０８（開閉弁）を開ける。
【０２０３】
ステップＳ４１６では、滅菌装置の演算処理部（２０１）（制御部）の指示により、乾燥処理中には、ロック動作制御部２０２が扉１０１が開かないように制御し、乾燥したあとにロック動作制御部２０２が、扉１０１が開くように制御する。
【０２０４】
次に、滅菌に使用されるカートリッジ２０５の滅菌剤収容室が複数あるタイプの場合（Ｓ４２３：ＮＯ）を説明する。
カートリッジ２０５を所定の位置（初期位置）まで移動する（Ｓ４２０）。
【０２０５】
抽出針をカートリッジ２０５の底まで差し込み（Ｓ４０１）、カートリッジ２０５内部に残った残留滅菌剤を規定時間吸い取る。残留滅菌剤を吸い出した後、抽出針は待機位置まで移動する（Ｓ４０５）。
【０２０６】
滅菌剤収容室が複数ある場合、全ての滅菌剤収容室の中の滅菌剤を吸い取るまでＳ４０１からＳ４０５を繰り返す。
【０２０７】
その際、滅菌剤収容室から滅菌剤を吸い出した後、カートリッジホルダ３０３は、カートリッジ２０５を所定の位置まで移動し固定する（Ｓ４２２）。このようにして、カートリッジの収容部を開封し、当該開封された収容部に収容されている滅菌剤を吸い出すプロセスを開封されていない各収容部に対して行う。
【０２０８】
そして、開封された収容部に収容されている滅菌剤を吸い出して（吸出し手段）排出する。全ての滅菌剤収容室から滅菌剤を吸い取った場合（Ｓ４２１：ＹＥＳ）、滅菌装置１００は、排気蒸発炉２２４により、液送ロータリーポンプ２２３と排気蒸発炉２２４との間の導管を通して送られる全ての液体の滅菌剤（排気蒸発炉２２４内に溜められた滅菌剤）を、排気蒸発炉２２４に備え付けられたヒータにより加熱し、その滅菌剤の全てを気化させる。そして、気化された滅菌剤は、排気用ＨＥＰＡフィルタ２２１と排気蒸発炉２２４との間の導管を通して、排気用ＨＥＰＡフィルタ２２１に送られる（ステップＳ４０３）。
【０２０９】
その後の処理は、滅菌に使用されるカートリッジ２０５の滅菌剤収容室が１つのタイプの場合と同工程となる。
図５を説明する。
【０２１０】
次に、図５を用いて、図３のＳ１１１に示す滅菌処理の詳細処理の一例について説明する。
図５は、図３のＳ１１１に示す滅菌処理の詳細処理の一例を示す図である。
【０２１１】
図５に示す各工程（処理）は、滅菌装置１００の演算処理部２０１により滅菌装置内の各装置の動作を制御することにより行われる。
【０２１２】
すなわち、滅菌装置１００の演算処理部２０１が読み取り実行可能なプログラムを実行することにより、各装置の動作を制御して各工程（処理）を実行する。
【０２１３】
図５に示すステップＳ５０１に示す工程を開始する際は、滅菌装置１００の全ての弁（弁（Ｖ１）２１１、弁（Ｖ２）２１５、弁（Ｖ３）２１２、弁（Ｖ４）２１３、弁（Ｖ９）２２７、弁（Ｖ７）２２６）は、閉じている状態である。
【０２１４】
まず、滅菌装置１００は、ステップＳ５０１において、気送真空ポンプ（排気手段）２２０を動作し、滅菌室２１９の気体を吸引し、滅菌室２１９内の気圧が所定の気圧（例えば、４５パスカル）になるまで減圧する滅菌前工程の処理を行う。滅菌前工程の処理の詳細な処理は、図６を用いて後で説明する。
【０２１５】
真空ポンプ２２０は滅菌剤を用いて被滅菌物を滅菌処理する場合に滅菌室２１９を真空環境にする。
【０２１６】
そして、滅菌装置１００は、ステップＳ５０２において、滅菌室２１９に、滅菌剤を入れて、被滅菌対象物を滅菌する滅菌工程の処理を行う。滅菌工程の処理の詳細な処理は、図７を用いて後で説明する。
【０２１７】
次に、滅菌装置１００は、ステップＳ５０３において、滅菌室２１９内、及び気化炉２１６内に含まれている滅菌剤を取り除くための換気工程の処理を行う。換気工程の処理の詳細な処理は、図８を用いて後で説明する。
図６を説明する。
【０２１８】
次に、図６を用いて、図５のＳ５０１に示す滅菌前工程の詳細処理の一例について説明する。
図６は、図５のＳ５０１に示す滅菌前工程の詳細処理の一例を示す図である。
【０２１９】
図６に示す各工程（処理）は、滅菌装置１００の演算処理部２０１により滅菌装置内の各装置の動作を制御することにより行われる。
【０２２０】
すなわち、滅菌装置１００の演算処理部２０１が読み取り実行可能なプログラムを実行することにより、各装置の動作を制御して各工程（処理）を実行する。
【０２２１】
まず、滅菌装置１００は、真空ポンプ２２０を動作し、滅菌室２１９の気体を吸引する処理を開始する（ステップＳ６０１）。
【０２２２】
そして、滅菌装置１００は、ステップＳ６０２において、滅菌室２１９内の圧力（気圧）が、所定の気圧（例えば、４５パスカル）まで減圧されているかを判定する。
【０２２３】
具体的には、滅菌室２１９内に備えられた圧力センサにより測定されている滅菌室２１９内の圧力（気圧）が、所定の気圧（例えば、４５パスカル）まで減圧されているかを判定する。
【０２２４】
ステップＳ６０２において、滅菌室２１９内の圧力（気圧）が、所定の気圧（例えば、４５パスカル）まで減圧されていないと判定された場合は（ＮＯ）、真空ポンプ２２０を引き続き動作させ、滅菌室２１９の気体を吸引し、滅菌室２１９内の圧力（気圧）を減圧する。
【０２２５】
一方、ステップＳ６０２において、滅菌室２１９内の圧力（気圧）が、所定の気圧（例えば、４５パスカル）まで減圧されていると判定された場合は（ＹＥＳ）、真空ポンプ２２０を引き続き動作させ、滅菌室２１９の気体を吸引し、ステップＳ５０２の処理を開始する。
図７を説明する。
図７は図５のＳ５０２に示す滅菌工程の詳細処理の一例である。
【０２２６】
図７に示す各工程（処理）は、滅菌装置１００の演算処理部２０１により滅菌装置内の各装置の動作を制御することにより行われる。
【０２２７】
滅菌装置１００の演算処理部２０１が読み取り実行可能なプログラムを実行することにより、各装置の動作を制御して各工程（処理）を実行する。
【０２２８】
滅菌装置１００は、弁（Ｖ５）２１７を開けて、滅菌室２１９と気化炉２１６との間の導管を導通させる（ステップＳ７０１）。
【０２２９】
これにより、現在、真空ポンプ２２０により滅菌室２１９の気体を吸引し減圧しているため、滅菌室２１９内、及び気化炉２１６内の減圧を開始する（ステップＳ７０２）。
【０２３０】
そして、滅菌装置１００は、ステップＳ１１０で、「滅菌剤を濃縮して滅菌するモード」ボタンと、「滅菌剤を濃縮しないで滅菌するモード」ボタンのどちらが押下されたのかを判定する（ステップＳ７０３）。
【０２３１】
「滅菌剤を濃縮して滅菌するモード」ボタンが押下されたと判定された場合は（ＹＥＳ）、ステップＳ７０４の処理を行い、「滅菌剤を濃縮しないで滅菌するモード」ボタンが押下されたと判定された場合は（ＮＯ）、ステップＳ７２８の処理を行う。
【０２３２】
ここでは、まず、「滅菌剤を濃縮して滅菌するモード」ボタンが押下された場合（滅菌剤を濃縮して滅菌処理する場合）について、説明する。
【０２３３】
滅菌装置１００は、ステップＳ７０４において、液送ロータリーポンプ２０７を動作し、カートリッジ２０５内の滅菌剤を、所定量（例えば、２ミリリットル）吸い取る。
【０２３４】
そして、吸い取られた所定量の滅菌剤を、濃縮炉２０８に入れる。ここで吸い取る所定量の滅菌剤は、例えば、滅菌室２１９内の空間を滅菌剤で飽和状態にさせることができる量である。
【０２３５】
そして、滅菌装置１００は、ステップＳ７０５において、カートリッジの取り付け場所に取り付けられているカートリッジ２０５のＲＦ−ＩＤに、カートリッジ２０５内に残っている滅菌剤の残量および充填の方式を書き込む。
【０２３６】
具体的には、ステップＳ１０１で読み取ったカートリッジ２０５内の滅菌剤の残量および充填の方式から、ステップＳ７０４でカートリッジ２０５から吸い取った所定量（例えば、２ミリリットル）を引いた値をＲＦ−ＩＤに記憶する。
【０２３７】
すなわち、ステップＳ１０１で読み取ったカートリッジ２０５内の滅菌剤の残量および充填の方式から、ステップＳ７０４でカートリッジ２０５から滅菌剤を吸い取った量の累計を引いた値を、ステップＳ７０５ではＲＦ−ＩＤに記憶する。
【０２３８】
また、滅菌装置１００は、ステップＳ１０１でＲＦ−ＩＤから読み取られた初回使用日時（カートリッジが滅菌装置で初めて使用された日時）に、日時を示す情報が含まれていない場合は、今回、カートリッジが滅菌装置で初めて使用されたと判定する。
【０２３９】
すなわち、滅菌装置１００は、ステップＳ１０１でＲＦ−ＩＤから初回使用日時を読み取ることが出来なかった場合には、今回、カートリッジが滅菌装置で初めて使用されたと判定する。
【０２４０】
このようにカートリッジが滅菌装置で初めて使用されたと判定された場合のみ、現在の日時情報もＲＦ−ＩＤに書き込む。
【０２４１】
次に、滅菌装置１００は、滅菌装置１００に電源が入っているときは、常に、濃縮炉２０８に備え付けられたヒータを加熱するため、ステップＳ７０４で濃縮炉２０８に入れられた滅菌剤は、そのヒータの熱により、加熱され、濃縮炉２０８内の滅菌剤に含まれる水分を蒸発させる（ステップＳ７０６）。
【０２４２】
滅菌装置１００に電源が入っているときに、常に、濃縮炉２０８に備え付けられたヒータを加熱する理由としては、例えば、手術室で、いつでも直ぐに滅菌装置を使用することができるようにするためである。
【０２４３】
このように、濃縮炉のヒータを加熱するためにかかる時間を無くすことで、いつでも直ぐに滅菌装置を使用することが出来るようになる。
【０２４４】
すなわち、滅菌剤が過酸化水素水（過酸化水素水溶液とも言う）である場合、濃縮炉２０８に備え付けられたヒータを、ここでは、具体的には、例えば、８０度で温める。これにより、主に水分を蒸発（気化）させることができ、滅菌剤を濃縮させることが可能となる。
【０２４５】
次に、滅菌装置１００は、ステップＳ７０７において、ステップＳ７０４で濃縮炉２０８に滅菌剤を入れてから所定の時間（例えば、６分）が経過したかを判定する。
【０２４６】
そして、濃縮炉２０８に滅菌剤を入れてから所定の時間が経過したと判定されると（ＹＥＳ）、ステップＳ７０８の処理を行う。
【０２４７】
一方、濃縮炉２０８に滅菌剤を入れてから所定の時間が経過していない場合は（ＮＯ）、引き続き、濃縮炉２０８に滅菌剤を入れたままにしておき、引き続き滅菌剤を濃縮する。
【０２４８】
次に、滅菌装置１００は、ステップＳ７０８において、滅菌室２１９内、及び気化炉２１６内の気圧が、所定の気圧（例えば、５００パスカル）まで減圧されたかを判定する。
【０２４９】
そして、滅菌装置１００は、滅菌室２１９内、及び気化炉２１６内の気圧が、所定の気圧まで減圧された場合は（ＹＥＳ）、ステップＳ７０９において、弁（Ｖ３）２１２と、弁（Ｖ４）２１３とを所定時間開ける弁（Ｖ３）２１２と、弁（Ｖ４）２１３とを所定時間（例えば、３秒）開けて弁（Ｖ３）２１２と、弁（Ｖ４）２１３を閉じる）ことで、計量管２１４内を減圧する。
【０２５０】
一方、滅菌室２１９内、及び気化炉２１６内の気圧が、所定の気圧まで減圧されていない場合は（ＮＯ）、引き続き滅菌剤の濃縮を行う。
【０２５１】
そして、次に、滅菌装置１００は、ステップＳ７１０において、ステップＳ７０９で、弁（Ｖ３）２１２と弁（Ｖ４）２１３とを所定時間開けて弁（Ｖ３）２１２と弁（Ｖ４）２１３を閉じた後に、弁（Ｖ１）を所定時間（例えば、３秒）開けると、濃縮炉２０８（外部）の気圧よりも計量管２１４内の気圧の方が低いので濃縮炉２０８に入っている滅菌剤が計量管２１４に吸い込まれて入る（ステップＳ７１０）。
【０２５２】
ここでは、弁（Ｖ１）を所定時間開けて閉じることで、濃縮炉２０８に入っている滅菌剤が計量管２１４に吸い込まれて入る。ここでは、滅菌剤だけではなく、濃縮炉２０８内の空気も一緒に計量管２１４内に吸い込まれてくる。
【０２５３】
そして、この後も、引き続き、真空ポンプ２２０により、滅菌室２１９内が減圧されている。
【０２５４】
そのため、滅菌室２１９内の気圧は、計量管内の気圧よりも低くなる。具体的には、滅菌室２１９内の気圧は、４００Ｐａ位であり、計量管内の気圧は大気圧（１０１３２５Ｐａ）位の値である。計量管内の気圧は大気圧近くまで上がる理由は、滅菌剤だけではなく、濃縮炉２０８内の空気も一緒に計量管２１４内に吸い込まれてくるためである。
【０２５５】
次に、滅菌装置１００は、ステップＳ７１１において、弁（Ｖ３）２１２と、弁（Ｖ４）２１３とを所定時間（例えば、３秒）開けて、計量管内の空気（液体の滅菌剤は含まない）を滅菌室２１９に吸い出される。すなわち、ここでは、弁（Ｖ３）２１２と弁（Ｖ４）２１３とを開けて該所定時間が経過すると、弁（Ｖ３）２１２と弁（Ｖ４）２１３とを閉じる。
【０２５６】
次に、滅菌装置１００は、滅菌室２１９内、及び気化炉２１６内の気圧が所定の気圧（例えば、８０Ｐａ）まで減圧されているかを判定し、減圧されていると判定された場合に（ステップＳ７１２）、弁（Ｖ５）２１７を閉める（ステップＳ７１３）。
【０２５７】
そして、滅菌装置１００は、弁（Ｖ２）２１５を開ける（ステップＳ７１４）。これにより、計量管２１４内の滅菌剤は、気化炉２１６に吸い込まれ、気化炉２１６内で気化する。
ここで、滅菌剤は、分子クラスターとして気化炉内で気化する。
【０２５８】
滅菌室内は、気化炉よりも大きい容積であり、気化炉内では、滅菌剤は、分子クラスターとして気化される。
【０２５９】
これは、気化炉の容積が滅菌室内より小さいため、滅菌室内の滅菌剤の分子間の距離が近く分子間力により、分子クラスターを形成しやすいためである。
【０２６０】
このときも引き続き、真空ポンプ２２０は、滅菌室２１９内の気体を吸引し、滅菌室２１９内を減圧している。計量管２１４内の滅菌剤が吸い込まれた気化炉２１６内は、気圧が上昇する。
すなわち、気化炉２１６内の気圧は、滅菌室２１９内の気圧よりも高くなる。
【０２６１】
次に、滅菌装置１００は、滅菌室２１９内の気圧が、所定の気圧（例えば、５０Ｐａ）まで減圧され、かつ、ステップＳ７１４で弁（Ｖ２）２１５を開けてから所定時間が経過したかを判定し（ステップＳ７１５）、滅菌室２１９内の気圧が、所定の気圧（例えば、５０Ｐａ）まで減圧され、かつ、ステップＳ７１４で弁（Ｖ２）２１５を開けてから所定時間が経過した場合は（ＹＥＳ）、真空ポンプ２２０による滅菌室２１９内の吸引（真空引き）を停止して（ステップＳ７１６）、弁（Ｖ５）２１７を開ける（ステップＳ７１７）。これにより、滅菌室２１９内に気化した滅菌剤が拡散し、被滅菌対象物を滅菌することができる。
【０２６２】
これは、気化炉２１６内の気圧よりも、滅菌室２１９内の気圧（例えば、５０Ｐａ）の方が、低いため拡散する。
【０２６３】
ここで拡散する滅菌剤は、気化炉内の分子クラスターが更に細分化され、より滅菌剤を滅菌室内に拡散させることができ、滅菌作用を高めることが可能となる。
【０２６４】
また、被滅菌対象物などの細かい内腔などを効果的に滅菌することが出来るようになる。
【０２６５】
そして、ステップＳ７１７で弁（Ｖ５）２１７を開けてから、所定時間（例えば、３３０秒）が経過したかを判定し、弁（Ｖ５）２１７を開けてから、所定時間（例えば、３３０秒）が経過したと判定されると（ステップＳ７１８：ＹＥＳ）、弁（Ｖ９）２２７を開ける（ステップＳ７１９）。
【０２６６】
これにより、滅菌装置１００の外の気圧よりも気化炉２１６内、及び滅菌室２１９内の気圧の方が低いため、吸気用ＨＥＰＡフィルタで清浄された、滅菌装置１００の外の外気（空気）が、気化炉２１６内に吸い込まれる。
【０２６７】
そして、気化炉２１６内に送り込まれた空気により、気化炉２１６内に気体として充満している滅菌剤、及び、気化炉２１６の内部の表面に付着した滅菌剤が、滅菌室２１９内に送り込まれ、滅菌室２１９内にある被滅菌対象物に対する滅菌作用が高まる。
【０２６８】
すなわち、例えば、これにより、被滅菌対象の細いチューブなどの奥などの滅菌し難い部分についての滅菌作用が高まる。
【０２６９】
そして、滅菌装置１００は、ステップＳ７１９で、弁（Ｖ９）２２７を開けてから所定の時間（１５秒）が経過すると、弁（Ｖ７）２２６を開けて、更に、ＨＥＰＡフィルタ２１０で清浄された、滅菌装置１００の外の外気（空気）が、滅菌室２１９内に吸い込まれる。
【０２７０】
これは、滅菌装置１００の外の気圧よりも滅菌室２１９内、気化炉２１６内の気圧の方が低いため、滅菌装置１００の外の外気（空気）が、滅菌室２１９内に吸い込まれる。
【０２７１】
これにより、被滅菌対象の細いチューブなどの奥などの滅菌し難い部分（特に内腔部分）についての滅菌作用が高まる。
【０２７２】
次に、滅菌装置１００は、滅菌室２１９内、及び気化炉２１６内が大気圧まで上昇したかを判定し、大気圧まで上昇したと判定した場合に（ステップＳ７２１：ＹＥＳ）、弁（Ｖ２）２１５を閉める（ステップＳ７２２）。
【０２７３】
次に、滅菌装置１００は、弁（Ｖ７）２２６を閉め（ステップＳ７２３）、真空ポンプ２２０による滅菌室２１９内の吸引（真空引き）を再開する（ステップＳ７２４）。
【０２７４】
これにより、ＨＥＰＡフィルタ２１０で清浄された、滅菌装置１００の外の外気（空気）が、ＨＥＰＡフィルタ２１０と気化炉２１６とが導通している導管を通じて、気化炉２１６内に吸い込まれる。
【０２７５】
そして、気化炉２１６内に送り込まれた空気により、気化炉２１６内に気体として充満している滅菌剤、及び、気化炉２１６の内部の表面に付着した滅菌剤が、更に、滅菌室２１９内に送り込まれる。
【０２７６】
これにより、被滅菌対象の細いチューブなどの奥などの滅菌し難い部分（特に内腔部分）についての滅菌作用が高まると共に、気化炉２１６内の滅菌剤を効果的に減少させることが可能となる。
【０２７７】
そして、滅菌装置１００は、ステップＳ７２４で、真空ポンプ２２０による滅菌室２１９内の吸引（真空引き）を再開してから、所定時間（例えば、１５秒）後に、弁（Ｖ９）２２７を閉める（ステップＳ７２５）。
【０２７８】
このときも引き続き、真空ポンプ２２０による滅菌室２１９内の吸引（真空引き）を行っており、ステップＳ７２５により、滅菌室２１９内、及び気化炉２１６内が密閉され、滅菌室２１９内、及び気化炉２１６内を減圧することとなる（ステップＳ７２６）。
【０２７９】
次に滅菌装置１００は、所定回数（例えば、４回）、ステップＳ７０２からステップＳ７２６の処理を実行したかを判定し（ステップＳ７２７）、実行したと判定された場合は（ＹＥＳ）、ステップＳ５０３の処理を行う。
【０２８０】
一方、ステップＳ７０２からステップＳ７２６の処理を、所定回数実行していないと判定された場合は、ステップＳ７０２以降の処理を再度行う。
【０２８１】
このように、所定回数、ステップＳ７０２からステップＳ７２６の処理を実行することで、被滅菌対象物に対する滅菌作用の効果が高まり、被滅菌対象物を十分に滅菌することが可能となる。
【０２８２】
次に、ステップＳ７０３で、「滅菌剤を濃縮しないで滅菌するモード」ボタンが押下されたと判定された場合（滅菌剤を濃縮しないで滅菌処理する場合）について、説明する。
【０２８３】
滅菌装置１００は、ステップＳ７０３で、「滅菌剤を濃縮しないで滅菌するモード」ボタンが押下されたと判定された場合（ＮＯ）、滅菌室２１９内と気化炉２１６内の気圧が所定の気圧（例えば、１０００Ｐａ）にまで減圧されたかを判定する（ステップＳ７２８）。
【０２８４】
そして、滅菌装置１００は、滅菌室２１９内と気化炉２１６内の気圧が所定の気圧（例えば、１００Ｐａ）にまで減圧されたと判定された場合に（ステップＳ７２８：ＹＥＳ）、液送ロータリーポンプ２０７を動作し、カートリッジ２０５内の滅菌剤を、所定量（例えば、２ミリリットル）吸い取る。そして、吸い取られた所定量の滅菌剤を、濃縮炉２０８に入れる（ステップＳ７２９）。
【０２８５】
ここで吸い取る所定量の滅菌剤は、例えば、滅菌室２１９内の空間を滅菌剤で飽和状態にさせることができる量である。
【０２８６】
次に、滅菌装置１００は、ステップＳ７３０において、カートリッジの取り付け場所に取り付けられているカートリッジ２０５のＲＦ−ＩＤに、カートリッジ２０５内に残っている滅菌剤の残量および充填の方式を書き込む。具体的には、ステップＳ１０１で読み取ったカートリッジ２０５内の滅菌剤の残量および充填の方式から、ステップＳ７２９でカートリッジ２０５から吸い取った所定量（例えば、２ミリリットル）を引いた値をＲＦ−ＩＤに記憶する。
【０２８７】
また、カートリッジ２０５から滅菌剤を吸い取った１回あたりの所定量が例えば２ミリリットルの場合であり、ステップＳ７２７で所定回数実行していない（ＮＯ）と判定され、ステップＳ７０２以降の処理を行うことが例えば２回目の場合において、ステップＳ７２９でカートリッジ２０５から滅菌剤を吸い取った量の累計は、（２ミリリットル（所定量）×２回目＝）４ミリリットルであるため、ステップＳ１０１で読み取ったカートリッジ２０５内の滅菌剤の残量および充填の方式から、ステップＳ７２９でカートリッジ２０５から滅菌剤を吸い取った量の累計である４ミリリットルを引いた値を、ステップＳ７３０ではＲＦ−ＩＤに記憶する。
【０２８８】
すなわち、ステップＳ１０１で読み取ったカートリッジ２０５内の滅菌剤の残量および充填の方式から、ステップＳ７２９でカートリッジ２０５から滅菌剤を吸い取った量の累計を引いた値を、ステップＳ７３０ではＲＦ−ＩＤに記憶する。  
【０２８９】
また、滅菌装置１００は、ステップＳ７３０において、ステップＳ１０１でＲＦ−ＩＤから読み取られた初回使用日時（カートリッジが滅菌装置で初めて使用された日時）に、日時を示す情報が含まれていない場合は、今回、カートリッジが滅菌装置で初めて使用されたと判定する。すなわち、滅菌装置１００は、ステップＳ１０１でＲＦ−ＩＤから初回使用日時を読み取ることが出来なかった場合には、今回、カートリッジが滅菌装置で初めて使用されたと判定する。
【０２９０】
このようにカートリッジが滅菌装置で初めて使用されたと判定された場合のみ、現在の日時情報もＲＦ−ＩＤに書き込む。
【０２９１】
そして、滅菌装置１００は、ステップＳ７３０の処理を行うと、既に説明したステップＳ７０９以降の処理を行う。
【０２９２】
ステップＳ７２８では、滅菌室２１９内が所定の気圧（例えば、１０００Ｐａ）になったら、ステップＳ７２９で滅菌剤を吸い始め、ステップＳ７２９で滅菌剤を吸い終わる頃には５００Ｐａを下回るため、効率的にＳ７０９へ移行することができる。
【０２９３】
このように、滅菌室２１９内、及び気化炉２１６内の気圧が、計量管２１４内の減圧を開始する所定の気圧（例えば、１０００パスカル）まで減圧された後に、吸い取られた所定量の滅菌剤を濃縮炉２０８に入れ、直ぐにステップＳ７０９で計量管２１４内を減圧することができ、その後、ステップＳ７１０で濃縮炉２０８内の滅菌剤を計量管に入れるので、濃縮炉２０８から、計量管２１４に直ぐに滅菌剤を入れることが可能となる。
【０２９４】
すなわち、滅菌剤が濃縮炉２０８でほぼ濃縮されることなく、計量管２１４に入れることが可能となる。
図８を説明する。
【０２９５】
次に、図８を用いて、図５のＳ５０３に示す換気工程の詳細処理の一例について説明する。
図８は、図５のＳ５０３に示す換気工程の詳細処理の一例を示す図である。
【０２９６】
図８に示す各工程（処理）は、滅菌装置１００の演算処理部２０１により滅菌装置内の各装置の動作を制御することにより行われる。
【０２９７】
すなわち、滅菌装置１００の演算処理部２０１が読み取り実行可能なプログラムを実行することにより、各装置の動作を制御して、図に示す各工程（処理）を実行する。
まず、滅菌装置１００は、弁Ｖ（７）２２６を開ける（ステップＳ８０１）。
【０２９８】
そして、滅菌装置１００は、真空ポンプ２２０による滅菌室２１９内の吸引（真空引き）を引き続き行う（ステップＳ８０２）。
【０２９９】
ステップＳ８０１で弁Ｖ（７）２２６を開けてから、ステップＳ８０２で真空ポンプ２２０による滅菌室２１９内の吸引（真空引き）を行い、所定時間が経過すると（ステップＳ８０３：ＹＥＳ）、弁Ｖ（７）２２６を閉めて（ステップＳ８０４）、真空ポンプ２２０による滅菌室２１９内の吸引（真空引き）を引き続き行う。
これにより、滅菌室２１９内が減圧される。
【０３００】
次に、滅菌装置１００は、滅菌室２１９内が所定の気圧（５０Ｐａ）まで減圧されると（ステップＳ８０６：ＹＥＳ）、弁Ｖ（７）２２６を開ける（ステップＳ８０７）。
【０３０１】
これにより、ＨＥＰＡフィルタ２１０で清浄された、滅菌装置１００の外の外気（空気）が、滅菌室２１９内に吸い込まれる。これは、滅菌装置１００の外の気圧よりも滅菌室２１９内の気圧の方が低いため、滅菌装置１００の外の外気（空気）が、滅菌室２１９内に吸い込まれる。
【０３０２】
そして、滅菌装置１００は、滅菌室２１９内の気圧が、大気圧まで上昇したかを判定し、滅菌室２１９内の気圧が、大気圧まで上昇したと判定された場合（ステップＳ８０８：ＹＥＳ）、ステップＳ８０４からステップＳ８０８の処理を所定回数（例えば、４回）行ったかを判定し（ステップＳ８０９）、ステップＳ８０４からステップＳ８０８の処理を所定回数（例えば、４回）行った場合は（ＹＥＳ）、弁Ｖ（７）２２６を閉めて（ステップＳ８１０）、換気工程を終了する。
【０３０３】
一方、ステップＳ８０４からステップＳ８０８の処理を所定回数（例えば、４回）行っていない場合は（ＮＯ）、再度、ステップＳ８０４の処理から行う。
【０３０４】
これにより、滅菌室２１９内の表面に付着している滅菌剤、及び、滅菌室２１９内に気体として残っている滅菌剤を真空ポンプ２２０により吸引される。ここで吸引された気体（滅菌剤を含む）は、排気用ＨＥＰＡフィルタ２２１を通り、滅菌剤分解装置２２２で滅菌剤は分解され、分解後の分子が外部に放出される。
図９を説明する。
【０３０５】
滅菌装置からカートリッジ収容室（滅菌剤供給機構）を分離されて別の装置としてそれぞれ構成した場合である。滅菌剤の収容部が大型容器（例えば１Ｌ以上）である場合には好適な構成である。
９００は滅菌剤供給装置である。
次に、Ｓ１１４の第２の実施形態として図１１を用いて説明する。
【０３０６】
第２の実施形態において、第１の実施形態と異なる点について説明する。第１の実施形態と同一の処理については、同一の符号を付しているため、ここでは、その説明は省略する。
【０３０７】
次に、図１１を用いて、図３のＳ１１４に示す排出処理の詳細処理の一例について説明する。
図１１は、排出処理を真空による抜き取りを行う場合の一例を示す。
【０３０８】
各工程（処理）は、滅菌装置１００の演算処理部２０１により滅菌装置内の各装置の動作を制御することにより行われる。
【０３０９】
すなわち、滅菌装置１００の演算処理部２０１が読み取り実行可能なプログラムを実行することにより、各装置の動作を制御して各工程（処理）を実行する。
【０３１０】
まず、滅菌装置は、ステップＳ１０１で読み取られた充填の方式に従って、滅菌に使用されるカートリッジ２０５の滅菌剤収容室が１つのタイプか、あるいは滅菌剤収容室が複数あるタイプかを判断する（ステップＳ４２３）
【０３１１】
以下、滅菌に使用されるカートリッジ２０５の滅菌剤収容室が１つのタイプの場合を説明する。
【０３１２】
抽出針をカートリッジ２０５に差し込み（Ｓ１１０４）、カートリッジ２０５内の滅菌剤収容室に穴をあける。カートリッジ２０５内の滅菌剤収容室に穴を開けた後、抽出針は待機位置まで移動する（Ｓ４０５）。
【０３１３】
その後、真空乾燥モード（Ｓ４１１からＳ４１５）によって、滅菌剤カートリッジをセットするカートリッジ収容室内と滅菌剤カートリッジ内部と抽出針の先端の３か所を乾燥する。
【０３１４】
排出処理を真空による抜き取りを行う場合、乾燥モードは滅菌剤収容室の数量如何によらず、真空乾燥モード（Ｓ４１１からＳ４１５）により、滅菌剤カートリッジをセットするカートリッジ収容室内と滅菌剤カートリッジ内部と抽出針の先端の３か所を乾燥する。
【０３１５】
次に、滅菌に使用されるカートリッジ２０５の滅菌剤収容室が複数あるタイプの場合（Ｓ４２３：ＮＯ）を説明する。
【０３１６】
抽出針をカートリッジ２０５の収容部に差し込み開封し（Ｓ１１０１）、カートリッジ２０５内の滅菌剤収容室に穴をあける。カートリッジ２０５内の滅菌剤収容室に穴を開けた後、抽出針は待機位置まで移動する（Ｓ４０５）。
【０３１７】
滅菌剤収容室の全てに穴を開けたかを確認（Ｓ１１０２）し、全ての滅菌剤収容室に穴を開けていない場合（Ｓ１１０２：ＮＯ）、カートリッジホルダ３０３は、カートリッジ２０５を所定の位置まで移動し固定する（Ｓ１１０３）。
【０３１８】
滅菌剤収容室の全てに穴を開けた後（Ｓ１１０２：ＹＥＳ）、真空乾燥モードの処理（Ｓ４１１からＳ４１５）を行う。その後、インターロックを解錠できる状態にする（Ｓ４１６）。
【符号の説明】
【０３１９】
１００    滅菌装置
１０１    滅菌剤カートリッジ取付用扉
１０２    表示部
１０３    印刷部
１０４    滅菌室の扉
２０１    演算処理部（ＭＰＵ）
２０２    ロック動作制御部
２０３    抽出針動作制御部
２０４    液センサ
２０５    滅菌剤容器（滅菌剤カートリッジ）
２０６    ＲＦ−ＩＤリーダ／ライタ
２０７    液送ロータリーポンプ
２０８    濃縮炉
２０９    気送加圧ポンプ
２１０    吸気用ＨＥＰＡフィルタ
２１１    開閉弁（Ｖ１）
２１２    開閉弁（Ｖ３）
２１３    開閉弁（Ｖ４）
２１４    計量管
２１５    開閉弁（Ｖ２）
２１６    気化炉
２１７    開閉弁（Ｖ５）
２１９    滅菌室（真空チャンバー）
２２０    気送真空ポンプ
２２１    排気用ＨＥＰＡフィルタ
２２２    滅菌剤分解装置ａ
２２３    液送ロータリーポンプ
２２４    排気蒸発炉
２２６    開閉弁（Ｖ７）
２２７    開閉弁（Ｖ９）
２２８    カートリッジ収容室
２２９    開閉弁（Ｖ１０）
３０１    ファン
３０２    ヒータ
３０３    カートリッジホルダ
３０４    開閉式ゲートバルブ
３０５    圧力計
３０６    排気用ゲートバルブ
３０７    換気ポート
３０８    吸気用ゲートバルブ
【図１】
2019115845.tif 000003
【図２】
2019115845.tif 000004
【図３】
2019115845.tif 000005
【図４】
2019115845.tif 000006
【図５】
2019115845.tif 000007
【図６】
2019115845.tif 000008
【図７】
2019115845.tif 000009
【図８】
2019115845.tif 000010
【図９】
2019115845.tif 000011
【図１０】
2019115845.tif 000012
【図１１】
2019115845.tif 000013